(57)【要約】【課題】プログラムやホームページをダウンロードする際の利用者の作業の手間を軽減して使い易い状態で保管でき、他者に必要な情報を提供可能とする。【解決手段】利用者ＰＣ１００から公開サイト１３０にプログラムやホームページのダウンロードを要求すると、プログラムやホームページがダウンロードされて整理情報データ部１０７に保存されるが、要求したものが既に整理情報データ部１０７にあるときには、その旨が表示される。また、ダウンロードのときには、付加情報取得部１０４が付加情報もサービスサイト１２０から取得し、整理情報データ部１０７に保管する。保管されたプログラムやホームページは、使用者の使い易いように、分類して整理でき、また、プログラムやホームページの利用状況やアンケートの情報が作成される。保管情報など各情報はサービスサイト１２０に通知され、サービスサイト１２０は通知情報を作者１４０などに提供できる。【選択図】　　　　図１
2004145380.tif 000002
【特許請求の範囲】
【請求項１】
インターネットを通じてプログラムをダウンロードするシステムであって、
ダウンロードしたプログラムとともに、該プログラムに関係する付加情報を保存する手段を備えたことを特徴とするＷｅｂコンテンツ情報整理収集システム。
【請求項２】
インターネットを通じて表示されたホームページを保存するシステムであって、
表示されたホームページとともに、該ホームページと関係のある付加情報を保存する手段を備えたことを特徴とするＷｅｂコンテンツ情報整理収集システム。
【請求項３】
インターネットを通じて、利用者によるプログラムやホームページの利用状況を収集するシステムであって、
利用者によるプログラムやホームページの実際の利用回数，利用時間を、利用情報として、取得する手段と、
作者が該利用者に要望するアンケート項目の回答を取得する手段と、
取得した該利用情報を階層構造を利用して整理する手段と、
整理された該利用情報をサービスサイトに通知する手段と
を備えたことを特徴とするＷｅｂコンテンツ情報整理収集システム。
【請求項４】
インターネットを通じて、利用者によるプログラムやホームページの利用状況を示す利用情報及び整理情報を、該プログラムや該ホームページの作者に提供するシステムであって、
請求項１〜３のいずれかに記載の利用者の手段で取得した情報をもとに、情報を集計して配信する手段を備えたことを特徴とするＷｅｂコンテンツ情報整理収集システム。
【発明の詳細な説明】
【０００１】
【発明の属する技術分野】
本発明は、ネットワークを通じてダウンロードしたプログラムやホームページの保存・整理，プログラムやホームページに関連のある付加情報の収集・提供，プログラムの利用状況を収集・提供を行なうＷｅｂ情報整理収集システムに関する。
【０００２】
【従来の技術】
従来、ダウンロードしたプログラムを整理する方法としては、利用者がダウンロードするファイルを保存するために、当該ダウンロードファイルを格納する特定のフォルダを作成し、ダウンロードしたプログラムをそのフォルダに格納する方法がよく知られている。
【０００３】
また、プログラムに関連する付加情報を取得する方法としては、個々の利用者が、Ｗｅｂ上の検索サービスなどを利用して、自分で情報を検索して収集する方法がある。
【０００４】
また、ホームページをローカルのコンピュータに保存して整理する方法としては、Ｗｅｂブラウザのメニューで項目「保存」を選択してファイルとして保存する方法やＷｅｂブラウザのキャッシュをまとめて保存するツールを利用する方法，Ｗｅｂブラウザで表示されたコンテンツをコピー＆ペーストして保存する方法がある。
【０００５】
さらに、プログラムやホームページの利用者の利用状況を収集する方法としては、サイトのサービスとして、Ｗｅｂ上にアンケートページを設けて利用者に回答してもらうといった方法がある。
【０００６】
【発明が解決しようとする課題】
しかしながら、ダウンロードしたプログラムの整理を行なう上記従来の方法では、プログラムに関連する情報を個々の利用者が自ら調べて収集しているため、利用者は、プログラムを使ったときの使用感などを公表する必要がなく、個々の感想，使用感などを記録することなどは行なわれることが少ない。そのため、ダウンロードしたプログラムがどのような性能を持ち、同様の機能を有する他のソフトとの違いなどといった性能評価的な記録は残されることが少ない。
【０００７】
さらに、過去にダウンロードしたかどうかさえも記録が残されておらず、忘れてしまうことが多く、同じプログラムを何度もダウンロードを行なう２度手間をしてしまうことが多々発生する。
【０００８】
また、不要となったプログラムを削除する場合、どのファイルを削除すればよいか、記憶、記録がなく、わからなくなってしまうという問題があった。
【０００９】
また、上記従来のホームページを保存して整理する方法では、そのホームページに関連する情報を自分で検索して収集しなければならないし、保存するファイルを自分のコンピュータのどこに格納するか、自分で管理しなければならないという問題があった。
【００１０】
さらに、Ｗｅｂページ上でアンケートを行なう毎で利用者によるプログラムやホームページの利用状況を収集する上記従来の方法では、利用者はアンケートに回答する確率が低く、期待する効果が思うように上がらない、という問題があった。
【００１１】
本発明の目的は、上記問題を解消し、プログラムやホームページをダウンロードする際、利用者の作業の手間を軽減してこれらを使い易い状態で保管・管理可能とし、プログラムやホームページの作者や他の利用者に必要な情報を提供可能としたＷｅｂコンテンツ情報整理収集システムを提供することにある。
【００１２】
【課題を解決するための手段】
上記目的を達成するために、本発明は、インターネットを通じてプログラムをダウンロードするシステムであって、ダウンロードしたプログラムとともに、このプログラムと関係のある付加情報を保存する手段を備えたものである。
【００１３】
また、本発明は、表示されたホームページとともに、このホームページと関係のある付加情報を保存する手段を備えたものである。
【００１４】
さらに、本発明は、利用者によるプログラムやホームページの実際の利用回数，利用時間を、利用情報として、取得する手段と、作者がこの利用者に要望するアンケート項目の回答を取得する手段と、取得したこの利用情報を階層構造を利用して整理する手段と、整理された利用情報をサービスサイトに通知する手段とを備えたものである。
【００１５】
さらに、本発明は、インターネットを通じて、利用者によるプログラムやホームページの利用状況を示す利用情報及び整理情報を、これらプログラムやホームページの作者に提供するシステムであって、上記のようにして利用者の手段で取得した情報をもとに、情報を集計して配信する手段を備えたものである。
【００１６】
【発明の実施の形態】
以下、本発明を実施する場合の一形態を、図面を参照して具体的に説明する。
【００１７】
図１は本発明によるＷｅｂコンテンツ情報整理収集システムの一実施形態を示す構成図であって、１００は利用者ＰＣ（ｐｅｒｓｏｎａｌ　Ｃｏｍｐｕｔｅｒ）、１０１はＷｅｂブラウザ、１０２はブラウザアドイン部、１０３は情報整理部、１０４は付加情報取得部、１０５は利用状況取得部、１０６は整理情報通知部、１０７は整理情報データ部、１１０は利用者、１２０は情報提供サービスサイト、１２１は付加情報提供部、１２２は整理情報取得部、１２３は整理情報データ部、１３０はプログラム・ホームページ公開サイト、１４０はプログラムやホームページの作者、１５０はインターネットなどのネットワークである。
【００１８】
図１において、利用者ＰＣ１００やプログラム・ホームページ公開サイト１３０，情報提供サービスサイト１２０，プログラムやホームページの作者１４０などがネットワーク１５０を介して相互に接続されており、これら間での通信を可能としている。
【００１９】
プログラム・ホームページ公開サイト１３では、作者１４０が作成したプログラムやホームページが格納されている。プログラム・ホームページ公開サイト１３は、利用者１１０に公開可能なプログラムやホームページを対象とする。また、情報提供サービスサイト１２０には、プログラム・ホームページ公開サイト１３に格納されているプログラムやホームページに関係する情報、即ち、付加情報や利用者１１０の利用情報などを整理情報データ部１２３に格納する。付加情報は、プログラムやホームページと関係のある情報の存在場所を示すＵＲＬ（Ｕｎｉｆｏｒｍ　Ｒｅｓｏｕｒｃｅ　Ｌｏｃａｔｏｒ）や作者１４０が作成したプログラムやホームページに対するアンケート項目，実行プログラムのファイル名などによって構成されている。
【００２０】
作者１４０がプログラムやホームページなどのコンテンツを作成し、該当するサイトに転送することによってプログラム・ホームページ公開サイト１３０に格納される。さらに、その付加情報が情報提供サービスサイト１２０の整理情報データ部１２３に格納される。また、かかるプログラム・ホームページと関係があるコンテンツなどの情報は、付加情報のＵＲＬで指定されるサーバ（図示せず）などに格納されている。
【００２１】
利用者ＰＣ１００は、ホームページを閲覧するためのＷｅｂブラウザ１０１やダウンロードしたプログラムや閲覧したホームページとそれらの付加情報，利用状などを保存する整理情報データ部１０７，整理情報データ部１０７に保存されたプログラムやホームページを編集・整理するための情報整理部１０３、情報提供サービスサイト１２０から付加情報を取得するための付加情報取得部１０４、整理情報データ部１０７で保存されるプログラムの利用状況を監視して、その利用情報を情報提供サービスサイト１２０に提供する。また、付加情報のアンケート項目をもとに利用者にアンケートの回答を促し、そのアンケート結果を情報提供サービスサイト１２０に提供する利用状況取得部１０５、情報整理部１０３によって整理された情報を情報提供サービスサイト１２０に通知する整理情報通知部１０６とから構成されており、また、Ｗｅｂブラウザ１０１はブラウザアドイン部１０２を備えている。
【００２２】
利用者１１０は、プログラムを利用したときやホームページを閲覧するときには、利用者ＰＣ１００を操作し、ネットワーク１５０を通じてプログラム・ホームページ公開サイト１３０を参照する。
【００２３】
以下、利用者１１０の操作に伴う実施形態を動作を説明する。なお、各図において、図１に対応する部分には同一符号を付けている。
【００２４】
図２は図１に示す実施形態の利用者１１０がプログラムを、その付加情報とともに、取得するための方法の一例を具体的に説明する図である。
【００２５】
図２において、まず、利用者１００は、プログラム取得のための利用者ＰＣ１００の操作を行ない、プログラム・ホームページ公開サイト１３０にアクセスすると、プログラム・ホームページ公開サイト１３０からプログラムやコンテンツの一覧が提供される。このプログラムやコンテンツの一覧は、Ｗｅｂブラウザ１０１にて表示される。かかる一覧では、「ｘｘｘプログラム」といったプログラム名とともに、「ｘｘｘ．ｅｘｅ」といったファイル名が表示される。
【００２６】
利用者１１０が一覧の中でダウンロードを希望するプログラム、例えば、ファイル名が「ｙｙｙ．ｅｙｅ」というｙｙｙプログラムを指定すると、まず、付加情報取得手段１０４が起動し、整理情報データ部１０７を検索して、指定されたｙｙｙプログラムが既にダウンロードされて整理情報データ部１０７に保存されているか否かを確認し、ｙｙｙプログラムが既にダウンロードされていて整理情報データ部１０７に保存されている場合には、付加情報取得部１０４はその旨のメッセージを利用者ＰＣ１００に表示することによって利用者が同じプログラムを再度ダウンロードすることを防ぐ。
【００２７】
ｙｙｙプログラムが整理情報データ部１０７に保存されていない場合には、右クリックメニュー２０１が表示される。右クリックメニューには、「開く」，「表示する」，「保存する」などのプログラムをダウンロードするためのイベントメニュー項目が含まれている。ブラウザアドイン部１０２（図１）により、メニュー項目「付加情報を付けて保存」２０２が追加され、Ｗｅｂブラウザ１０１が拡充されている。プログラムをダウンロードさせるためには、右クリックメニューのいずれかのメニュー項目を選択する。
【００２８】
次に、利用者１１０がこのメニュー項目「付加情報を付けて保存」２０２を選択すると、ブラウザアドイン部１０２により、プログラム・ホームページ公開サイト１３０にアクセスが行なわれ、プログラム・ホームページ公開サイト１３０から指定されたｙｙｙプログラムが利用者ＰＣ１００にダウンロードされる。ダウンロードされたｙｙｙプログラムは、付加情報取得部１０４により、整理情報データ部１０７に保存される。
【００２９】
また、付加情報取得部１０４は、ダウンロードを希望するｙｙｙプログラムのファイル名ｙｙｙ．ｅｙｅをもとに、ネットワーク１５０を介して情報提供サービスサイト１２０にアクセスし、その付加情報提供部１２１にダウンロードを希望するｙｙｙプログラムに関連する付加情報の提供を依頼する。情報提供サービスサイト１２０では、ファイル名ｙｙｙ．ｅｙｅをもとに、付加情報提供部１２１がこれまで蓄えられていた整理情報データ１２３を検索し、得られた付加情報を付加情報取得部１０４に提供する。付加情報取得部１０４は、付加情報を整理情報データ部１０７に保存する。
【００３０】
ダウンロードされたプログラムが、付加情報とともに、整理情報データ部１０７に保存される。また、プログラムのダウンロードを要求する場合には、まず、整理情報データ部１０７に要求されるプログラムが保存されているか否かが確認されるので、同じプログラムが繰り返しダウンロードされることがなくなる。整理情報データ部１０７で削除されたプログラムについても、同様である。
【００３１】
図３は図１に示す実施形態の利用者１１０がホームページを、付加情報とともに、取得するための方法の一具体例を示す図である。
【００３２】
図３において、利用者１００は、ホームページ取得のための利用者ＰＣ１００のＷｅｂブラウザ１０１を操作し、プログラム・ホームページ公開サイト１３０にアクセスすると、プログラム・ホームページ公開サイト１３０からホームページが提供され、Ｗｅｂブラウザ１０１にて表示される。ブラウザアドイン部１０２により、Ｗｅｂブラウザ１０１のツールバー３０１にメニュー項目「本ホームページを保存」３０２が追加されている。表示されているホームページ３０３を保存したい場合、利用者１１０は選択項目「本ホームページを保存」３０２を選択する。
【００３３】
「本ホームページを保存」３０２が選択されると、ブラウザアドイン部１０２は付加情報１０４を起動し、ホームページ３０３のファイル名を参照し、ネットワーク１５０を介して情報提供サービスサイト１２０にアクセスし、付加情報提供部１２１にホームページ３０３の付加情報を要求する。情報提供サービスサイト１２０では、ホームページ３０３のファイル名をもとに、付加情報提供部１２１が整理情報データ部１２３を検索し、得られた付加情報を付加情報取得部１０４に提供する。付加情報取得部１０４は、付加情報を整理情報データ部１０７に保存する。
【００３４】
また、ホームページを保存する場合も、プログラムと同様に、付加情報取得手段１０４により、同じホームページが繰り返しプログラム・ホームページ公開サイト１３０から取得するようなことがないようにすることもできる。
【００３５】
上記処理によって、ホームページも、付加情報とともに、整理情報データ部１０７に保存されることになり、付加情報を取得するための利用者１１０による別の操作が不要となる。
【００３６】
図４は図１に示す実施形態での利用者１１０のプログラム利用状況を取得する方法の一具体例を示す図である。
【００３７】
図４において、利用者１１０は、所望のプログラムを利用する場合には、対象プログラムが格納されたフォルダ４０１を開き、該当するプログラムのアイコン４０２をダブルクリックすることでプログラム４０３が起動する。
【００３８】
利用状況取得部１０５は、常に各プログラムの起動，終了を監視しており、いずれかのプログラム４０３が起動されると、整理情報データ部１０７を検索し、起動されたプログラム４０３がダウンロードしたプログラムかどうか確認する。
【００３９】
確認を行なったプログラムがダウンロードしたプログラムである場合、利用状況取得部１０５は、その起動回数や起動時刻などを、利用情報として、整理情報データ部１０７に保存する。また、起動したプログラム４０３が終了した場合も、利用状況取得部１０５は起動したプログラム４０３の終了を感知し、終了時刻や起動時間の累計を、利用情報として、整理情報データ部１０７に保存する。
【００４０】
また、プログラム４０３の終了後、利用状況取得部１０５は、整理情報データ部１０７に保存されているプログラム４０３に対するアンケート事項を確認し、利用者１１０がアンケートに回答していない場合には、整理情報データ部１０７からアンケート項目を取得し、アンケート４０４を表示させて利用者１１０に回答を促す。アンケート４０４では、使用したｙｙｙプログラムについて、例えば、「使用感」や「お気に入り度」などといったようなアンケート項目があり、アンケート項目に回答しない場合には、保留ボタン４０４ｂを選択することにより、アンケート４０４の画面はそのままなくなるが、回答する場合には、各アンケート項目に答えて回答ボタン４０４ａを選択することにより、利用状況取得部１０５がアンケート結果を整理情報データ部に保存する。
【００４１】
以上のようにして、利用者１１０による各プログラムの実際の起動回数や利用時間を取得することができ、また、アンケートの回答率も高くなる。
【００４２】
図５は図１に示す実施形態でのダウンロードしたプログラムや保存したホームページを整理する方法の一具体例を示す図である。
【００４３】
図５において、Ｗｅｂブラウザ１０１には、ブラウザアドイン部１０２により、ツールバー３０１などにメニュー項目「ホームページの整理」５０１が追加される。利用者１１０がこのメニュー項目５０１を選択すると、情報整理部１０３が起動して整理情報データ部１０７を読み込み、Ｗｅｂブラウザ１０１上にダウンロードしたプログラムと保存したホームページとの一覧５０６を表示する。
【００４４】
ここで、ダウンロードされたプログラムやホームページのダウンロード先であるフォルダは、利用者１１０の指示により、所定の項目（以下、フォルダ項目という）毎にグループ分けすることができる。かかるフォルダ項目は利用者が適宜設定することができ、また、フォルダ項目を階層的に関連付けることができる。図示する例では、フォルダ項目「事務処理」５０２の下位に「乗り換え案内」５０３，「地図」５０４などのフォルダ項目を設定した階層構造の例を示しており、フォルダ項目に夫々該当するプログラムやホームページのフォルダをまとめて整理することができる。さらに、フォルダ項目「ダウンロード」５０５が設定されている。
【００４５】
フォルダが該当するフォルダ項目に整理されている場合には、フォルダ項目の１つ、例えば、例えば、フォルダ項目「地図」５０４を選択すると、地図に関してまとめられたプログラムとホームページの一覧が表示される。
【００４６】
一覧５０６に表示されている項目、例えば、ｙｙｙプログラム５０７を選択すると、ｙｙｙプログラムの詳細情報５０８が表示される。詳細情報５０８には、ｙｙｙプログラムのダウンロード元ＵＲＬと、ｙｙｙプログラムが収められたダウンロード先であるフォルダ名と、ダウンロードする際に取得した「実行ファイル名」や「関連ＵＲＬ」，アンケートの回答の有無を示す「アンケート」などの付加情報と、プログラムを利用したときの「起動回数」，「利用時間」などの利用状況を示す利用情報、さらに、個別に整理するために必要な「コメント」などの情報が表示される。
【００４７】
プログラムやホームページをこれまで収められていたフォルダ項目から他のフォルダ項目に移し替える情報の整理を行なうことが可能となる。
【００４８】
表示されている一覧５０６でフォルダ項目を変更する項目、例えば、ｙｙｙプログラム５０７を選択し、詳細情報５０８を表示させる。表示画面には、図示するようなフォルダ項目の階層構造も表示されている。詳細情報５０８，フォルダの階層構造を内容確認（実行ファイル名によって、その内容を確認できる）後、収納するフォルダ項目、例えば、フォルダ項目「乗り換え案内」５０３を右クリックするなどして指定する。従って、ｙｙｙプログラム５０７はフォルダ項目「地図」５０４からフォルダ項目「乗り換え案内」５０３に移し替えられる。
【００４９】
一旦所定のフォルダ項目に分類されているプログラムやホームページを他のフォルダ項目に移し替え、フォルダ項目の整理を行なうことが可能となり、さらに、プログラムやホームページがダウンロードされたときにも、同様の分類の整理を行なうことができる。
【００５０】
即ち、プログラムやホームページがダウンロードされたときには、ダウンロードされたコンテンツと付加情報とが空いているフォルダに収められる。付加情報取得部１０４によって整理情報データ部１０７に保存されるのであるが、前述のフォルダは、上記のような利用者１１０が設定したフォルダ項目に分類されず、例えば、「ダウンロード」５０５といったようなフォルダ項目に一旦収められる。ダウンロードされたコンテンツを利用者１１０が設定した当該のフォルダ項目に分類する場合には、メニュー項目「ホームページの整理」５０１を選択し、図示するようなフォルダ項目の階層構造を表示させる。そして、フォルダ項目「ダウンロード」５０５を選択すると、当該フォルダに収められているプログラムやホームページの一覧が表示され、以下は上記のようにして、利用者１１０が作成した階層構造の該当するフォルダ項目に分類することができる。
【００５１】
なお、ダウンロードされたプログラムやホームページを利用者１１０が作成した階層構造のフォルダ項目に分類する他の方法として、プログラムやホームページがダウンロードされ、情報提供サービスサイト１２０から取得した付加情報とが整理情報データ部１０７に保存されると同時に、このプログラムあるいはホームページの詳細情報５０８が表示され、上記のフォルダ項目の選択を行なうことにより、プログラムあるいはホームページと付加情報とがこの選択されたフォルダ項目に収納されるようにしてもよい。
【００５２】
整理情報データ部１０７に保存されているプログラムやホームページを削除して整理することもできる。この場合には、上記と同様にして、削除するプログラムやホームページ（この場合、ｙｙｙプログラム）の詳細情報５０８を表示させ、設けられている削除ボタン５０９を選択する。情報整理部１０３は、整理情報データ部１０７でｙｙｙプログラムのダウンロード先のフォルダ（ｘｘフォルダ）や実行ファイル名（ｙｙｙ．ｅｘｅ）を特定し、ｙｙｙプログラムに削除フラグを立てることによってｙｙｙプログラムを削除する。
【００５３】
プログラムやホームページは、削除後も、整理情報データ部１０７に情報を残しておき、情報を削除したプログラムやホームページを再度ダウンロード要求した際の警告の表示などに利用する。警告が表示されると、一旦削除されたプログラムやホームページは、削除フラグが除かれて、再び利用可能となる。従って、一度ダウンロードされたプログラムやホームページは、例え削除処理されても、再び利用できる状態にすることができ、再度のダウンロードは必要がない。
【００５４】
以上のように、本発明の実施形態では、ダウンロードされたプログラムやホームページを、利用者の好みに合わせて使い易いように、階層構造のフォルダ項目に分類・整理することができるし、分類も適宜変更できてより使い易いものとすることができる。しかも、一度削除したプログラムやホームページも、履歴が残されて再度のダウンロードを行なわなくてすむことになり、ダウンロードの作業を軽減し、かつダウンロードの費用を低減できる。
【００５５】
図６は図１に示す実施形態での利用者１１０が整理した情報を情報提供サービスサイトに通知する方法の一具体例を示す図である。
【００５６】
図６において、整理した情報を情報提供サービスサイトに通知する場合には、図５で説明したように、情報整理部１０３を起動させてフォルダ項目の階層構造を表示させ、通知しようとするプログラムやホームページが保存されているフォルダ項目を、例えば、フォルダ項目「地図」５０４を選択する。次に、情報整理部１０３は整理情報データ部１０７を読み込み、地図に関するプログラムやホームページの一覧５０６をＷｅｂブラウザ１０１上に表示させる。
【００５７】
利用者１１０が、一覧５０６から情報提供サービスサイト１２０に送ってもよいとする項目、例えば、ｙｙｙプログラム５０７を選択し、ブラウザアドイン部１０２によってＷｅｂブラウザ１０１のツールバー３０１に追加されているメニュー項目「整理情報の通知」６０１を選択する。整理情報通知部１０６が起動し、ネットワーク１５０を通じて情報提供サービスサイト１２０にアクセスし、選択したプログラム５０７の詳細情報やプログラムが分類されているフォルダ項目を明示したフォルダ項目の階層構造とを情報提供サービスサイト１２０に通知する。情報提供サービスサイト１２０では、通知される情報を整理情報取得部１２２が取得し、整理情報データ部１２３に保存する。
【００５８】
なお、利用者１１０の操作に基づいて、整理した情報を情報定期用サービスサイト１２０に通知するようにしたが、一定時刻毎に、アンケート回答毎あるいは図５で説明した整理情報の表示のときに（特に、ダウンロード下プログラムやホームページが分類されているフォルダ項目を変更するとき、また、プログラムやホームヘージコンテンツを利用者が作成した階層構造のフォルダ項目に分類するときに）通知するようにしてもよい。
【００５９】
図７は図１に示す実施形態の、利用者１１０から収集した情報をもとに、情報整理サービスサイト１２０が作者や他の利用者に情報を配信する方法の一具体例を示す図である。
【００６０】
図７において、情報提供サービスサイト１２０は、整理情報データ部１２３での収集した情報をもと、プログラムやホームページ毎にアンケートの回答結果や利用状況を集計し、さらに、他のプログラムやホームページを含めた集計を行ない、その集計情報７０２を該当する作者１４０に集計情報を提供する。作者１４０は、自分が作成したプログラムやホームページがどれだけ活用されているかを把握することができる。
【００６１】
また、情報提供サービスサイト１２０は、独自のホームページを設け、例えば、利用状況の高いプログラムをランキング付けすることにより、他の利用者にその情報（人気ランキング情報）７０１を提供することができる。また、利用者１１０から提供された整理情報や階層構造の情報に基づいて、検索キーワードを増やし、さらに、利用状況に応じて高ポイントを付与するなど、より高度な検索エンジンを提供することができる。
【００６２】
【発明の効果】
以上、説明したように、本発明によれば、利用者は、プログラムのダウンロードと同時に、そのプログラムに関連する付加情報を収集できるし、同じプログラムを繰り返しダウンロードすることも防止できる。また、利用者は、ダウンロードされたプログラムやホームページを自分の好みに合わせた使い易い分類の仕方でその保存先を整理することができるし、プログラムやホームページの利用状況なども、利用者の操作を必要とせずに、得ることができる。
【００６３】
また、本発明によると、情報提供サービスサイトが利用者によるプログラム，ホームページ夫々の利用情報や整理情報を収集できて、かかる情報をかかるプログラムやホームページの作者に提供するサービスを展開でき、作者は自分が作成したプログラムやホームページの実際の利用状況を把握することが可能となるし、利用者から収集した情報をもとに、「人気ランキング」など特徴あるページを公開して、多くの利用者を呼び寄せることができる。
【図面の簡単な説明】
【図１】本発明によるＷｅｂコンテンツ情報整理収集システムの一実施形態を示す構成図である。
【図２】図１に示す実施形態の利用者がプログラムを、その付加情報とともに、取得するための方法の一具体例を示す図である。
【図３】図１に示す実施形態の利用者がホームページを、その付加情報とともに、取得するための方法の一具体例を示す図である。
【図４】図１に示す実施形態での利用者のプログラム利用状況を取得する方法の一具体例を示す図である。
【図５】図１に示す実施形態でのダウンロードしたプログラムや保存したホームページを整理する方法の一具体例を示す図である。
【図６】図１に示す実施形態での利用者が整理した情報を情報提供サービスサイトに通知する方法の一具体例を示す図である。
【図７】図１に示す実施形態での、利用者から収集した情報をもとに、情報整理サービスサイトが作者や他の利用者に情報を配信する方法の一具体例を示す図である。
【符号の説明】
１００　利用者ＰＣ
１０１　Ｗｅｂブラウザ
１０２　ブラウザアドイン部
１０３　情報整理部
１０４　付加情報取得部
１０５　利用状況取得部
１０６　整理情報通知部
１０７　整理情報データ部
１１０　利用者
１２０　情報提供サービスサイト
１２１　付加情報提供部
１２２　整理情報取得部
１２３　整理情報データ部
１３０　プログラム・ホームページ公開サイト
１４０　プログラムやホームページの作者
１５０　インターネットなどのネットワーク
２０１　右クリックメニュー
２０２　メニュー項目
３０１　ツールバー
３０２　メニュー項目
３０３　ホームページ
４０１　フォルダ
４０２　プログラムのアイコン
４０３　プログラム
４０４　アンケート
４０４ｂ　保留ボタン
４０４ａ　回答ボタン
５０１　メニュー項目
５０４　プログラムとホームページの一覧
５０２〜５０５　フォルダ項目
５０６　プログラムとホームページの一覧
５０７　ｙｙｙプログラム
５０８　ｙｙｙプログラムの詳細情報
６０１　メニュー項目
７０２　集計情報
７０１　人気ランキング情報
【図１】
2004145380.tif 000003
【図２】
2004145380.tif 000004
【図３】
2004145380.tif 000005
【図４】
2004145380.tif 000006
【図５】
2004145380.tif 000007
【図６】
2004145380.tif 000008
【図７】
2004145380.tif 000009